【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
遊技の進行を制御する遊技制御手段と、
前記遊技制御手段からの情報に基づいて、演出の制御を行う演出制御手段と、を備え、
前記遊技制御手段は、
可変表示に関する情報を保留情報として記憶可能な保留記憶手段と、
前記有利状態に制御するか否かを決定する決定手段と、
前記決定手段の決定結果に基づいて、可変表示を実行する可変表示実行手段と、
前記保留情報に対応した可変表示に基づいて前記有利状態に制御されるか否かを前記決定手段による決定前に判定する事前判定手段と、
前記保留記憶手段が記憶する前記保留情報が増加したことを認識可能な保留記憶情報と、前記事前判定手段の判定結果を示す判定結果情報を送信する情報送信手段と、を含み、
前記演出制御手段は、前記事前判定手段による判定に基づいて、予告演出を実行する予告演出実行手段を含み、
前記演出制御手段は、前記保留記憶情報及び前記判定結果情報のいずれか一方の情報を正常に受信した場合であっても、少なくとも前記保留記憶情報及び前記判定結果情報の他方の情報を取りこぼしたことを含む当該他方の情報を正常に受信することができなかった場合に、前記予告演出が行われないように制御し、
前記有利状態において、可変入賞手段を遊技媒体が入賞可能な状態に制御し、
前記有利状態の終了後の遊技状態を、通常状態、又は、該通常状態よりも前記有利状態に制御されやすい高確率状態に制御し、
前記可変入賞手段に入賞した前記遊技媒体を通過させることで前記高確率状態に制御する特定領域をさらに備える、
ことを特徴とする遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御可能な遊技機に関する。
【手続補正３】
【補正対象書類名】明細書
【補正対象項目名】０００４
【補正方法】変更
【補正の内容】
【０００４】
しかしながら、不確定な予告演出を実行することになってしまうという問題が生ずる虞があった。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
本発明は、このような背景のもとになされたものであり、その目的は、不確定な予告演出を実行することが無いようにすることにある。
【手続補正６】
【補正対象書類名】明細書
【補正対象項目名】０００８
【補正方法】変更
【補正の内容】
【０００８】
まず手段Ａに係る発明は、
可変表示を行い、遊技者にとって有利な有利状態に制御可能な遊技機であって、
遊技の進行を制御する遊技制御手段と、
前記遊技制御手段からの情報に基づいて、演出の制御を行う演出制御手段と、を備え、
前記遊技制御手段は、
可変表示に関する情報を保留情報として記憶可能な保留記憶手段と、
前記有利状態に制御するか否かを決定する決定手段と、
前記決定手段の決定結果に基づいて、可変表示を実行する可変表示実行手段と、
前記保留情報に対応した可変表示に基づいて前記有利状態に制御されるか否かを前記決定手段による決定前に判定する事前判定手段と、
前記保留記憶手段が記憶する前記保留情報が増加したことを認識可能な保留記憶情報と、前記事前判定手段の判定結果を示す判定結果情報を送信する情報送信手段と、を含み、
前記演出制御手段は、前記事前判定手段による判定に基づいて、予告演出を実行する予告演出実行手段を含み、
前記演出制御手段は、前記保留記憶情報及び前記判定結果情報のいずれか一方の情報を正常に受信した場合であっても、少なくとも前記保留記憶情報及び前記判定結果情報の他方の情報を取りこぼしたことを含む当該他方の情報を正常に受信することができなかった場合に、前記予告演出が行われないように制御し、
前記有利状態において、可変入賞手段を遊技媒体が入賞可能な状態に制御し、
前記有利状態の終了後の遊技状態を、通常状態、又は、該通常状態よりも前記有利状態に制御されやすい高確率状態に制御し、
前記可変入賞手段に入賞した前記遊技媒体を通過させることで前記高確率状態に制御する特定領域をさらに備える、
ことを特徴とする遊技機である。
また、手段１に係る発明は、
遊技媒体（パチンコ玉）を遊技領域（７）に発射することにより遊技者が遊技を行い、
所定の始動条件が成立した（第１始動入賞口１３または第２始動入賞口１４に入賞した）後に所定の開始条件が成立した（保留記憶数が０でなく、第１特別図柄および第２特別図柄の可変表示が実行されておらず、かつ、大当り遊技が実行されていない）ことに基づいて、各々を識別可能な複数種類の識別情報（第１特別図柄または第２特別図柄）を可変表示して、該可変表示の表示結果を導出表示し、
該導出表示された表示結果が特定遊技結果（大当り図柄）となったことに基づいて、遊技者にとって有利な特定遊技状態（大当り遊技状態）に制御し、
該特定遊技状態の終了後の遊技状態を、通常状態（非確変状態）、又は、該通常状態よりも特定遊技状態に制御されやすい高確率状態（確変状態）に制御し、
前記遊技媒体を通過させることで前記高確率状態に制御する第１特定領域（確変アタッカー２０Ｂ）と、該第１特定領域と異なり前記遊技媒体が通過しても前記高確率状態に制御しない第２特定領域（通常アタッカー２０Ａ）とを備え、
前記特定遊技状態は、前記遊技媒体が少なくとも前記第１特定領域を通過可能となる特殊特定遊技状態（１５ラウンド目に確変アタッカー２０Ｂが開放される大当りＡまたは大当りＢ）を含む遊技機（パチンコ遊技機１）であって、
前記始動条件が成立したことに基づいて、前記可変表示の表示結果を決定するための数値データ（ランダムＲ）を抽出する数値データ抽出手段と、
前記始動条件が成立したが前記開始条件が未だ成立していない場合に、前記可変表示を実行する権利を記憶する保留記憶手段（第１保留記憶バッファ及び第２保留記憶バッファ、並びに始動入賞時コマンド格納領域）と、
前記保留記憶手段に記憶している権利に対応する数値データが前記特定遊技状態に制御することを示す数値データであるか否かを判定するための判定用データとして、前記通常状態において判定するための通常時判定用データと、前記高確率状態において判定するための高確率時判定用データとを記憶する判定用データ記憶手段（大当り判定テーブル）と、
該判定用データ記憶手段で記憶している判定用データに基づいて、前記保留記憶手段に記憶している権利に対応する数値データが前記特定遊技状態に制御することを示す数値データであるか否かを、前記開始条件が成立する前に判定する事前判定手段（ステップＳ２２２またはステップＳ２２３の処理を行う遊技制御用マイクロコンピュータ５６０）と、
該事前判定手段による判定結果に基づいて、該判定した数値データに対応する権利に対して所定の予告演出（先読み予告）を実行する予告演出実行手段（ステップＳ８１０８の処理を行う演出制御用マイクロコンピュータ１００）と、を備え、
該予告演出実行手段は、前記特殊特定遊技状態に制御することを示す数値データに対応する権利である特定権利が前記保留記憶手段に記憶されている場合には、当該特定権利の記憶以降に発生した始動条件の成立に基づく権利に対する前記予告演出の実行を制限する（図３４のコマンド解析処理において、ステップＳ６５１で図柄指定コマンドを受信すると、始動入賞時コマンド格納領域に該図柄指定コマンドを格納し、該図柄指定コマンドが大当り図柄を指定するものならば、先読み予告禁止フラグをセットし、図３８の先読み予告演出決定処理において、ステップＳ６０１１Ａで保留球変化の先読み予告を実行すると判定した場合に、先読み予告禁止フラグがセットされていれば、先読み予告禁止テーブルで保留記憶の形状と点灯点滅態様を決定する＝保留記憶の形状と点灯点滅態様を変化させない）ことを特徴とする遊技機である。
【手続補正７】
【補正対象書類名】明細書
【補正対象項目名】００１６
【補正方法】変更
【補正の内容】
【００１６】
まず手段Ａに係る発明によれば、遊技者に不確定な情報を予告するおそれが無くなるので、遊技の興趣を向上できる。
また、手段１に係る発明によれば、特殊特定遊技状態に制御することを示す数値データに対応する権利である特定権利が保留記憶されている場合には、当該特定権利に基づいて制御される特殊特定遊技状態の終了後の遊技状態が、通常状態であるか高確率状態であるか定かではなくなるが、当該特定権利の記憶以降に発生した始動条件の成立に基づく権利に対する予告演出の実行を制限することにより、遊技者に不確定な情報を予告するおそれが無くなるので、遊技の興趣を向上できる。